(57)【要約】【課題】吐出ヘッドのスライド機構を設けることに起因して、吐出ヘッド間の相対位置精度が損なわれたり、描画装置が大型化したりすることを抑制することができる描画装置を提供する。【解決手段】描画装置は、外周面に被描画媒体を密着させて送る搬送ドラムと、液状体を吐出する吐出ノズルを備え、吐出ノズルが外周面に臨んで開口する位置に配設された吐出ヘッドと、吐出する液状体の種類が互いに異なる複数種類の吐出ヘッドを保持する第１ヘッドホルダーと、１種類以上の吐出ヘッドを保持する第２ヘッドホルダーと、第１ヘッドホルダーを、外周面の法線方向に移動可能に支持する第１ホルダー移動装置と、第２ヘッドホルダーを、外周面の法線方向に移動可能に支持する第２ホルダー移動装置と、を備える。【選択図】図３
2013223943.tif 000002
【特許請求の範囲】
【請求項１】
外周面に被描画媒体を密着させて送る搬送ドラムと、
液状体を吐出する吐出ノズルを備え、前記吐出ノズルが前記外周面に臨んで開口する位置に配設された吐出ヘッドと、
吐出する前記液状体の種類が互いに異なる複数種類の前記吐出ヘッドを保持する第１ヘッドホルダーと、
１種類以上の前記吐出ヘッドを保持する第２ヘッドホルダーと、
前記第１ヘッドホルダーを、前記外周面の法線方向に移動可能に支持する第１ホルダー移動装置と、
前記第２ヘッドホルダーを、前記外周面の法線方向に移動可能に支持する第２ホルダー移動装置と、を備える、
ことを特徴とする描画装置。
【請求項２】
前記第１ヘッドホルダーが保持している前記吐出ヘッドの数は、前記第２ヘッドホルダーが保持している前記吐出ヘッドの数よりも多く、
前記第１ヘッドホルダーの前記第１ホルダー移動装置による移動方向と鉛直方向とがなす角度は、前記第２ヘッドホルダーの前記第２ホルダー移動装置による移動方向と鉛直方向とがなす角度より小さい、
ことを特徴とする、請求項１に記載の描画装置。
【請求項３】
前記被描画媒体上においてイエローを発色する前記液状体を吐出する前記吐出ヘッド、前記被描画媒体上においてマゼンタを発色する前記液状体を吐出する前記吐出ヘッド、前記被描画媒体上においてシアンを発色する前記液状体を吐出する前記吐出ヘッド、及び前記被描画媒体上においてブラックを発色する前記液状体を吐出する前記吐出ヘッド、の少なくともひとつが前記第１ヘッドホルダーに保持されている、
ことを特徴とする、請求項１又は２に記載の描画装置。
【請求項４】
前記被描画媒体上においてイエローを発色する前記液状体を吐出する前記吐出ヘッド、前記被描画媒体上においてマゼンタを発色する前記液状体を吐出する前記吐出ヘッド、前記被描画媒体上においてシアンを発色する前記液状体を吐出する前記吐出ヘッド、及び前記被描画媒体上においてブラックを発色する前記液状体を吐出する前記吐出ヘッドが、単一の前記第１ヘッドホルダーに保持されている、
ことを特徴とする、請求項１又は２に記載の描画装置。
【発明の詳細な説明】
【技術分野】
【０００１】
本発明は、描画装置に関する。
【背景技術】
【０００２】
従来から、搬送ドラムと、搬送ドラムの外周面に向けて液滴を吐出可能に配置された吐出ヘッドとを備え、搬送ドラムの外周面に倣う状態で保持されて搬送される被描画媒体における任意の位置に、吐出ヘッドから吐出される液滴を着弾させることによって、被描画媒体上に画像を形成する描画装置が知られている。
吐出ヘッドから吐出された液滴の着弾位置精度を高くするためには、吐出ヘッドと被描画媒体との距離が短いことが好ましい。すなわち、吐出ヘッドと搬送ドラムの媒体保持面である外周面との距離が短いことが好ましい。一方、吐出ヘッドの保守を実施するためには、吐出ヘッドと搬送ドラムとの間に保守装置などを介在させるための隙間が必要である。
特許文献１には、互いに取付角度を変えてインクジェット記録ヘッド（吐出ヘッド）をヘッドホルダに固定した状態でヘッドホルダを上下方向へ移動させた場合、ヘッドホルダが高さ方向で位置ずれしてしまうと、インクジェット記録ヘッドがインクを着弾させる着弾位置は、搬送ドラム上で大きくずれてしまうという課題があることが示されている。
【０００３】
特許文献１に開示された液滴吐出装置は、インクジェット記録ヘッドを搬送ドラムの半径方向に沿って取付け、インクジェット記録ヘッドを、搬送ドラムの半径方向に沿って、搬送ドラムに対して上下移動（離接）させる液滴吐出装置である。インクジェット記録ヘッドは搬送ドラムの半径方向に沿って上下移動するため、インクジェット記録ヘッドが上下移動しても、取付角度は変わらない。このため、インクジェット記録ヘッドの高さ方向の誤差が着弾位置に与える影響は、複数のインクジェット記録ヘッドを保持するヘッドホルダを上下移動させることによって複数のインクジェット記録ヘッドを一体に上下移動させる場合にくらべて小さくなる。
したがって、特許文献１に開示された液滴吐出装置は、インクジェット記録ヘッドを上下移動させても、インクの着弾位置のずれが発生し難く、高画質記録が可能となる液滴吐出装置であるとしている。
【先行技術文献】
【特許文献】
【０００４】
【特許文献１】特開２００９−２７４２８５号公報
【発明の概要】
【発明が解決しようとする課題】
【０００５】
しかしながら、インクジェットプリンターなどの描画装置の高画質化のためには、インクの多色化が必要である。具体的には、ＹＭＣＫ（イエロー、マゼンタ、シアン、ブラック）の４色に加え、光沢を出すためのクリアインク（透明インク）や、金色、銀色等のメタル色や、色再現領域を拡大するためのライトシアンやライトマゼンタ等や、透明フィルムに印刷するための白インク等が必要である。特許文献１に開示された液滴吐出装置のように、各色のインクジェット記録ヘッドをそれぞれ半径方向へ移動可能な構成で、多色化した場合には、各色それぞれにスライド機構と駆動機構が必要となる。このため、スライド機構と駆動機構の増加によって、液滴吐出装置が複雑になり、大型化するという課題があった。また、スライド機構と駆動機構の増加によるコストアップが発生するという課題もあった。
さらに、各インクジェット記録ヘッドがスライド機構を介してホルダーを結合されているため、各色間においてインクジェット記録ヘッドの相対位置精度の確保が困難であという課題があった。インクジェット記録ヘッドの相対位置精度が確保できない場合、被描画媒体に着弾する液滴の位置ズレが発生し、画像として色ずれが発生しやすくなるという課題がある。
【課題を解決するための手段】
【０００６】
本発明は、上述の課題の少なくとも一部を解決するためになされたものであり、以下の形態または適用例として実現することが可能である。
【０００７】
［適用例１］本適用例にかかる描画装置は、外周面に被描画媒体を密着させて送る搬送ドラムと、液状体を吐出する吐出ノズルを備え、前記吐出ノズルが前記外周面に臨んで開口する位置に配設された吐出ヘッドと、吐出する前記液状体の種類が互いに異なる複数種類の前記吐出ヘッドを保持する第１ヘッドホルダーと、１種類以上の前記吐出ヘッドを保持する第２ヘッドホルダーと、前記第１ヘッドホルダーを、前記外周面の法線方向に移動可能に支持する第１ホルダー移動装置と、前記第２ヘッドホルダーを、前記外周面の法線方向に移動可能に支持する第２ホルダー移動装置と、を備える、ことを特徴とする。
【０００８】
本適用例にかかる描画装置によれば、第１ヘッドホルダーは、吐出する液状体の種類が互いに異なる複数種類の吐出ヘッドを保持している。液状体の種類の違いは、例えば色の違いである。第１ヘッドホルダーに保持された吐出ヘッドは、第１ヘッドホルダーに固定されている。このため、第１ヘッドホルダーに保持された吐出ヘッド間の相対位置精度を、吐出ヘッドが個別にヘッドホルダーに保持されている構成にくらべて、長期的に高精度に維持することができる。したがって、例えば液状体の色ごとに着弾位置のずれが生ずることを抑制して、高精度の画像を描画することができる。
また、同一種類の吐出ヘッドごとに、それぞれ異なるヘッドホルダーに保持させる構成にくらべて、ヘッドホルダーやホルダー移動装置の数を抑制することができる。ヘッドホルダーやホルダー移動装置の数を抑制することで、これらの数が増加することに起因して、描画装置が大型になったり、複雑になったりすることを抑制することができる。
さらに、第１ヘッドホルダーと、第２ヘッドホルダーと、を備えることによって、全ての吐出ヘッドが単一のヘッドホルダーに保持されている構成にくらべて、吐出ヘッドの移動方向の自由度を高くすることができる。これにより、多数の吐出ヘッドを、搬送ドラムの周囲に、搬送ドラムに対して離接可能に配置し易くすることができる。
【０００９】
［適用例２］上記適用例にかかる描画装置において、前記第１ヘッドホルダーが保持している前記吐出ヘッドの数は、前記第２ヘッドホルダーが保持している前記吐出ヘッドの数よりも多く、前記第１ヘッドホルダーの前記第１ホルダー移動装置による移動方向と鉛直方向とがなす角度は、前記第２ヘッドホルダーの前記第２ホルダー移動装置による移動方向と鉛直方向とがなす角度より小さい、ことが好ましい。
【００１０】
この描画装置によれば、第１ヘッドホルダーが保持している吐出ヘッドの数が、第２ヘッドホルダーが保持している吐出ヘッドの数よりも多く、保持している吐出ヘッドの数が多い第１ヘッドホルダーの移動方向が、鉛直方向に近く設定されている。したがって、多くの吐出ヘッドを保持するヘッドホルダーが、搬送ドラムに対して鉛直方向の上方又は下方に位置する。一般的に、吐出ヘッドから吐出されて、飛行し、搬送ドラムに支持された被描画媒体に着弾する液状体は、飛行中に重力の影響を受けて飛行経路が変化する。すなわち、重力が着弾位置精度に影響を与える場合がある。液状体の飛行方向を鉛直方向に近くすることで、重力が着弾位置に及ぼす影響を抑制することができる。ヘッドホルダーを、搬送ドラムの鉛直方向の上方又は下方に位置させることで、ヘッドホルダーに保持された吐出ヘッドから吐出される液状体の着弾位置精度に及ぼす、重力の影響を抑制することができる。多くの吐出ヘッドを保持するヘッドホルダーを、搬送ドラムの鉛直方向の上方又は下方に位置させることで、ヘッドホルダーに保持された多くの吐出ヘッドにおいて、吐出ヘッドから吐出される液状体の着弾位置精度に及ぼす、重力の影響を抑制することができる。
同一のヘッドホルダーに保持された吐出ヘッドは、相互の位置精度を正確に維持しやすいため、ヘッド位置がずれることに起因して着弾位置のずれが生ずることを抑制して、高精度の画像を描画することができる。さらに、重力の影響を抑制することで、着弾位置のずれが生ずることをさらに抑制して、高精度の画像を描画することができる。
【００１１】
［適用例３］上記適用例にかかる描画装置において、前記被描画媒体上においてイエローを発色する前記液状体を吐出する前記吐出ヘッド、前記被描画媒体上においてマゼンタを発色する前記液状体を吐出する前記吐出ヘッド、前記被描画媒体上においてシアンを発色する前記液状体を吐出する前記吐出ヘッド、及び前記被描画媒体上においてブラックを発色する前記液状体を吐出する前記吐出ヘッド、の少なくともひとつが前記第１ヘッドホルダーに保持されている、ことが好ましい。
【００１２】
この描画装置によれば、イエロー、マゼンタ、シアン、及びブラックの液状体の少なくともひとつが、第１ヘッドホルダーに保持されている吐出ヘッドから吐出される。一般的に、イエロー、マゼンタ、シアン、及びブラックの４色は、基本色であって、これらの色の着弾位置精度は、画像の品質に大きく影響する。第１ヘッドホルダーに保持された複数種類の吐出ヘッドは、相互の位置精度を正確に維持しやすいため、ヘッド位置がずれることに起因して着弾位置のずれが生ずることを抑制して、高精度の画像を描画することができる。イエロー、マゼンタ、シアン、及びブラックのいずれかを第１ヘッドホルダーに保持された吐出ヘッドから吐出させることで、当該色の着弾位置精度を向上させて、高精度の画像を描画することができる。
【００１３】
［適用例４］上記適用例にかかる描画装置において、前記被描画媒体上においてイエローを発色する前記液状体を吐出する前記吐出ヘッド、前記被描画媒体上においてマゼンタを発色する前記液状体を吐出する前記吐出ヘッド、前記被描画媒体上においてシアンを発色する前記液状体を吐出する前記吐出ヘッド、及び前記被描画媒体上においてブラックを発色する前記液状体を吐出する前記吐出ヘッドが、単一の前記第１ヘッドホルダーに保持されている、ことが好ましい。
【００１４】
この描画装置によれば、イエロー、マゼンタ、シアン、及びブラックの液状体が、第１ヘッドホルダーに保持されている吐出ヘッドから吐出される。一般的に、イエロー、マゼンタ、シアン、及びブラックの４色は、基本色であって、これらの色の着弾位置精度は、画像の品質に大きく影響する。第１ヘッドホルダーに保持された複数種類の吐出ヘッドは、相互の位置精度を正確に維持しやすいため、ヘッド位置がずれることに起因して着弾位置のずれが生ずることを抑制して、高精度の画像を描画することができる。イエロー、マゼンタ、シアン、及びブラックを第１ヘッドホルダーに保持された吐出ヘッドから吐出させることで、イエロー、マゼンタ、シアン、及びブラックの着弾位置精度を向上させて、高精度の画像を描画することができる。
【図面の簡単な説明】
【００１５】
【図１】プリンターが備える装置構成の一例を模式的に示す正面図。
【図２】（ａ）は、吐出ヘッドを構成する単ヘッド体の概要を示す外観斜視図。（ｂ）は、描画ユニットにおける単ヘッド体の配列を示す説明図。
【図３】描画ユニットの構成の一例を模式的に示す正面図。
【発明を実施するための形態】
【００１６】
以下、本発明に係る描画装置の一実施形態について、図面を参照して説明する。本実施形態において、描画装置は、長尺のシートに紫外線硬化型の機能液を用いて画像を形成するプリンターである。なお、以下の説明において参照する図面では、それぞれの構成を認識可能な程度の大きさにするために、部材又は部分の縦横の縮尺を実際のものとは異なるように表す場合がある。
【００１７】
＜プリンター＞
最初に、プリンター１の全体構成について、図１を参照して説明する。図１は、プリンターの要部の構成を模式的に示す正面図である。
図１に示すように、プリンター１では、その両端が繰出軸２０及び巻取軸４０にロール状に巻き付けられた１枚のシートＳ（ウェブ）が、繰出軸２０と巻取軸４０の間に張架されている。張架されたシートＳの経路を経路Ｐｃと表記する。シートＳは、経路Ｐｃに沿って、繰出軸２０から巻取軸４０へと搬送される。プリンター１では、この経路（搬送経路Ｐｃ）に沿って搬送されるシートＳに対して画像が記録される。シートＳの種類は、紙系とフィルム系に大別される。具体例を挙げると、紙系には上質紙、キャスト紙、アート紙、コート紙等があり、フィルム系には合成紙、ＰＥＴ（Polyethylene terephthalate）、ＰＰ（Polypropylene）等がある。概略的には、プリンター１は、繰出軸２０からシートＳを繰り出す繰出部２と、繰出部２から繰り出されたシートＳに画像を記録する画像形成部３と、画像形成部３で画像の記録されたシートＳを巻取軸４０に巻き取る巻取部４と、を備えている。なお、以下の説明では、シートＳの両面のうち、画像が記録される面を表面と表記する。表面の反対側の面を裏面と表記する。鉛直方向（図１では上下方向）をＺ軸方向、巻取軸４０などの軸方向（図１の紙面に垂直な方向）をＹ軸方向、Ｚ軸方向及びＹ軸方向に直交する方向をＸ軸方向と表記する。シートＳが、被描画媒体に相当する。
【００１８】
繰出部２は、シートＳの端を巻き付けた繰出軸２０と、繰出軸２０から引き出されたシートＳを巻き掛ける従動ローラー２１とを備えている。繰出軸２０は、シートＳの表面を外側に向けた状態で、シートＳの端を巻き付けて支持している。繰出軸２０が図１の時計回りに回転することで、繰出軸２０に巻き付けられたシートＳが従動ローラー２１を経由して画像形成部３へと繰り出される。シートＳは、繰出軸２０に着脱自在な芯管（図示省略）を介して繰出軸２０に巻き付けられている。繰出軸２０のシートＳが使い切られた際には、ロール状のシートＳが巻き付けられた新たな芯管を繰出軸２０に装着して、繰出軸２０のシートＳを取り換えることが可能となっている。なお、繰出軸２０は、その基軸（図示省略）に連結されたモーターＭからの駆動力を受けて回転する。
【００１９】
画像形成部３は、繰出部２から繰り出されたシートＳをプラテンドラム３０で支持しつつ、プラテンドラム３０の外周面に沿って配置された描画ユニット５によって、シートＳに画像を形成する。描画ユニット５の詳細については、後述する。画像形成部３では、プラテンドラム３０の両側に前駆動ローラー３１と後駆動ローラー３２とが設けられており、前駆動ローラー３１から後駆動ローラー３２へと搬送されるシートＳがプラテンドラム３０に巻き掛けられて支持されている。シートＳのプラテンドラム３０に巻き掛けられている部分に向けて、描画ユニット５が備える吐出ヘッド５５から機能液が吐出され、シートＳに着弾した機能液によって画像が形成される。
【００２０】
前駆動ローラー３１は、溶射によって形成された複数の微小突起を外周面に有しており、繰出部２から繰り出されたシートＳを裏面側から巻き掛ける。前駆動ローラー３１は図１の時計回りに回転することで、繰出部２から繰り出されたシートＳを搬送経路の下流側へと搬送する。さらに、前駆動ローラー３１と協働してシートＳを搬送経するニップローラー３１ａが設けられている。ニップローラー３１ａは、前駆動ローラー３１側へ付勢された状態でシートＳの表面に当接しており、前駆動ローラー３１との間でシートＳを挟み込む。これにより、前駆動ローラー３１とシートＳの間の摩擦力が確保され、前駆動ローラー３１によるシートＳの搬送を確実に行なうことができる。
【００２１】
プラテンドラム３０は、図示を省略した支持機構により回転自在に支持された円筒形状のドラムである。プラテンドラム３０は、前駆動ローラー３１から後駆動ローラー３２へと搬送されるシートＳを、裏面側から巻き掛ける。プラテンドラム３０は、シートＳとの間の摩擦力を受けてシートＳの搬送方向Ｄsに従動回転しつつ、シートＳを裏面側から支持する。プラテンドラム３０が、搬送ドラムに相当する。
【００２２】
画像形成部３には、プラテンドラム３０への巻き掛け部の両側でシートＳを折り返す従動ローラー３３、及び従動ローラー３４が設けられている。従動ローラー３３は、前駆動ローラー３１とプラテンドラム３０の間でシートＳの表面を巻き掛けて、シートＳを折り返す。従動ローラー３４は、プラテンドラム３０と後駆動ローラー３２の間でシートＳの表面を巻き掛けて、シートＳを折り返す。このように、プラテンドラム３０に対して搬送方向Ｄsの上流側及び下流側それぞれでシートＳを折り返すことで、プラテンドラム３０へのシートＳの巻き掛け長さを長く確保することができる。
【００２３】
後駆動ローラー３２は、溶射によって形成された複数の微小突起を外周面に有しており、プラテンドラム３０から従動ローラー３４を経由して搬送されてきたシートＳを裏面側から巻き掛ける。後駆動ローラー３２は図１の時計回りに回転することで、シートＳを巻取部４へと搬送する。さらに、後駆動ローラー３２と協働してシートＳを搬送経するニップローラー３２ａが設けられている。ニップローラー３２ａは、後駆動ローラー３２側へ付勢された状態でシートＳの表面に当接しており、後駆動ローラー３２との間にシートＳを挟み込む。これにより、後駆動ローラー３２とシートＳの間の摩擦力が確保され、後駆動ローラー３２によるシートＳの搬送を確実に行なうことができる。
【００２４】
このように、前駆動ローラー３１から後駆動ローラー３２へと搬送されるシートＳは、プラテンドラム３０の外周面に支持される。画像形成部３では、プラテンドラム３０に支持されたシートＳの表面にカラー画像を形成するために、描画ユニット５に、互いに異なる色に対応した複数の吐出ヘッド５５が設けられている。各吐出ヘッド５５は、プラテンドラム３０に巻き掛けられたシートＳの表面に対して若干のクリアランスを空けて対向しており、対応する色の機能液をインクジェット方式で吐出する。搬送方向Ｄsへ搬送されるシートＳに対して各吐出ヘッド５５が機能液を吐出することで、シートＳの表面にカラー画像が形成される。機能液が、液状体に相当する。
【００２５】
機能液としては、紫外線（光）を照射することで硬化するＵＶ（Ultraviolet）インク（光硬化性インク）が用いられる。描画ユニット５には、インクを硬化させてシートＳに定着させるために、ＵＶランプ６２が設けられている。さらに、画像形成部３では、描画ユニット５の下流側に、ＵＶランプ６３が設けられている。吐出ヘッド５５によって形成したカラー画像を、ＵＶランプ６２及びＵＶランプ６３によってシートＳ表面に定着させることができる。
このように、画像形成部３では、プラテンドラム３０の外周部に巻き掛けられるシートＳに対して、機能液の吐出及び硬化が適宜実行されて、カラー画像が形成される。このカラー画像の形成されたシートＳが、後駆動ローラー３２によって巻取部４へと搬送される。
【００２６】
巻取部４は、シートＳの端を巻き付けた巻取軸４０の他に、巻取軸４０と後駆動ローラー３２の間でシートＳを裏面側から巻き掛ける従動ローラー４１を備えている。巻取軸４０は、シートＳの表面を外側に向けた状態で、シートＳの端を巻き取って支持する。巻取軸４０が図１の時計回りに回転すると、後駆動ローラー３２から搬送されてきたシートＳが従動ローラー４１を経由して巻取軸４０に巻き取られる。シートＳは、巻取軸４０に着脱自在な芯管（図示省略）を介して巻取軸４０に巻き取られる。巻取軸４０に巻き取られたシートＳが満杯になった際には、芯管ごとシートＳを取り外すことが可能である。巻取軸４０は、その基軸（図示省略）に連結されたモーターＭからの駆動力を受けて回転する。
【００２７】
＜吐出ヘッド＞
次に、描画ユニット５が備える吐出ヘッド５５の構成について、図２を参照して説明する。図２は、吐出ヘッドの構成を模式的に示す説明図である。図２（ａ）は、吐出ヘッドを構成する単ヘッド体の概要を示す外観斜視図であり、図２（ｂ）は、吐出ヘッドにおける単ヘッド体の配列を示す説明図である。図２に示したＸ軸方向、Ｙ軸方向、及びＺ軸方向は、吐出ヘッド５５がプリンター１に装着された状態において、図１に示したＸ軸方向、Ｙ軸方向、又はＺ軸方向と一致している。
図２（ａ）に示すように、単ヘッド体５７は、ノズル基板１６を備えている。ノズル基板１６には、多数の吐出ノズル１５が略一直線状に並んだノズル列１５Ａが１列形成されている。吐出ノズル１５から機能液を液滴として吐出し、対向する位置にあるシートＳの表面に着弾させることで、当該位置に機能液を配置する。配置された機能液によって、シートＳの表面に画像が形成される。ノズル列１５Ａは、単ヘッド体５７を備える吐出ヘッド５５がプリンター１に装着された状態で、図１に示したＹ軸方向に延在している。ノズル列１５Ａにおいて吐出ノズル１５は等間隔のノズルピッチで並んでいる。単ヘッド体５７としては、Ｙ軸方向にノズルピッチ間隔で機能液の液滴を配置することができる。
【００２８】
図２（ｂ）に示したように吐出ヘッド５５は、ヘッド基板５８と、ヘッド基板５８に搭載された７個の単ヘッド体５７と、を備えている。単ヘッド体５７は、図示省略したヘッド保持部材を介してヘッド基板５８に固定されている。固定された単ヘッド体５７は、ヘッド本体がヘッド基板５８に形成された孔（図示省略）に遊嵌して、ノズル基板１６が、ヘッド基板５８の面より突出した位置に位置している。図２（ｂ）は、ノズル基板１６の側から見た図である。ヘッド基板５８は、図示省略したヘッド枠に取付けられている。
【００２９】
１個の吐出ヘッド５５が備える７個の単ヘッド体５７は、Ｙ軸方向において、互いに隣り合う単ヘッド体５７の、一方の単ヘッド体５７の端の吐出ノズル１５に対して、もう一方の単ヘッド体５７の端の吐出ノズル１５が１ノズルピッチずれて位置する相対位置に、配設されている。吐出ヘッド５５が有する７個の単ヘッド体５７において、全ての吐出ノズル１５のＸ軸方向の位置を同じにすると、吐出ノズル１５は、Ｙ軸方向にノズルピッチの等間隔で並ぶ。すなわち、シートＳの搬送方向の同じ位置において、それぞれの単ヘッド体５７が有するそれぞれのノズル列１５Ａを構成する吐出ノズル１５から吐出された液滴は、設計上では、Ｙ軸方向に等間隔に並んで一直線上に着弾する。
単ヘッド体５７は、Ｙ軸方向において互いに重なるため、いわゆる千鳥状に並べられて、吐出ヘッド５５を構成している。
【００３０】
＜描画ユニット＞
次に、描画ユニット５の構成について、図３を参照して説明する。図３は、描画ユニットの構成を模式的に示す正面図である。図３に示したＸ軸方向、Ｙ軸方向、及びＺ軸方向は、図１に示したＸ軸方向、Ｙ軸方向、又はＺ軸方向と一致している。
図３に示すように、描画ユニット５は、主ヘッドユニット５１ａと、副ヘッドユニット５１ｂと、副ヘッドユニット５１ｃと、ヘッドキャリッジ５２と、紫外線ランプ６２ａ（ＵＶランプ６２）と、紫外線ランプ６２ｂ（ＵＶランプ６２）とを、備えている。
【００３１】
主ヘッドユニット５１ａは、ヘッド主保持枠５３ａと、４個の吐出ヘッド５５と、保持枠離接機構５４ａと、を備えている。上述したように、吐出ヘッド５５は、７個の単ヘッド体５７を備えている。１個の吐出ヘッド５５が備える７個の単ヘッド体５７は同一の機能液を吐出する。主ヘッドユニット５１ａが備える４個の吐出ヘッド５５は、それぞれイエロー、シアン、マゼンタ、又はブラックを描画させるための機能液を吐出する。イエローを描画させるための機能液を吐出する吐出ヘッド５５をＹ吐出ヘッド５５Ｙと表記する。シアンを描画させるための機能液を吐出する吐出ヘッド５５をＣ吐出ヘッド５５Ｃと表記する。マゼンタを描画させるための機能液を吐出する吐出ヘッド５５をＭ吐出ヘッド５５Ｍと表記する。ブラックを描画させるための機能液を吐出する吐出ヘッド５５をＫ吐出ヘッド５５Ｋと表記する。
【００３２】
Ｙ吐出ヘッド５５Ｙ、Ｃ吐出ヘッド５５Ｃ、Ｍ吐出ヘッド５５Ｍ、及びＫ吐出ヘッド５５Ｋは、単ヘッド体５７の吐出ノズル１５をプラテンドラム３０の外周面に臨ませて、ヘッド主保持枠５３ａに保持されている。上述したように、それぞれの吐出ヘッド５５が備えるノズル列１５Ａは、Ｙ軸方向に延在している。Ｙ吐出ヘッド５５Ｙ、Ｃ吐出ヘッド５５Ｃ、Ｍ吐出ヘッド５５Ｍ、及びＫ吐出ヘッド５５Ｋは、この順番で、搬送方向Ｄｓの方向に並んでいる。それぞれの吐出ヘッド５５は、ノズル基板１６が、プラテンドラム３０の外周面のＸ軸Ｚ軸平面における接線と、略平行になる状態で、ヘッド主保持枠５３ａに保持されている。また、それぞれの吐出ヘッド５５は、１個の吐出ヘッド５５が備える全ての吐出ノズル１５からプラテンドラム３０の外周面までの距離が、略均等になる状態で、ヘッド主保持枠５３ａに保持されている。
【００３３】
ヘッド主保持枠５３ａは、保持枠離接機構５４ａを介して、プラテンドラム３０の外周面のＸ軸Ｚ軸平面における半径方向に移動可能に、ヘッドキャリッジ５２に取付けられている。ヘッド主保持枠５３ａは、プラテンドラム３０に対して、鉛直方向（Ｚ軸方向）の上側に位置している。保持枠離接機構５４ａによるヘッド主保持枠５３ａの移動方向は、略鉛直方向である。ヘッド主保持枠５３ａに保持されているＹ吐出ヘッド５５Ｙ、Ｃ吐出ヘッド５５Ｃ、Ｍ吐出ヘッド５５Ｍ、及びＫ吐出ヘッド５５Ｋは、保持枠離接機構５４ａによって、一体に、プラテンドラム３０に対する離接方向に移動させられる。ヘッド主保持枠５３ａが、第一ヘッドホルダーに相当する。保持枠離接機構５４ａが、第１ホルダー移動装置に相当する。
【００３４】
副ヘッドユニット５１ｂは、ヘッド副保持枠５３ｂと、２個の吐出ヘッド５５と、保持枠離接機構５４ｂと、を備えている。副ヘッドユニット５１ｂが備える吐出ヘッド５５を吐出ヘッド５５ａ、吐出ヘッド５５ｂと表記する。上述したように、吐出ヘッド５５は、７個の単ヘッド体５７を備えている。吐出ヘッド５５ａや吐出ヘッド５５ｂのそれぞれが備える７個の単ヘッド体５７は、同一の機能液を吐出する。吐出ヘッド５５ａは、例えばホワイトを描画させるための機能液を吐出する。吐出ヘッド５５ｂは、例えばメタル色を描画させるための機能液を吐出する。
【００３５】
吐出ヘッド５５ａ及び吐出ヘッド５５ｂは、単ヘッド体５７の吐出ノズル１５をプラテンドラム３０の外周面に臨ませて、ヘッド副保持枠５３ｂに保持されている。上述したように、それぞれの吐出ヘッド５５が備えるノズル列１５Ａは、Ｙ軸方向に延在している。それぞれの吐出ヘッド５５は、ノズル基板１６が、プラテンドラム３０の外周面のＸ軸Ｚ軸平面における接線と、略平行になる状態で、ヘッド副保持枠５３ｂに保持されている。また、それぞれの吐出ヘッド５５は、１個の吐出ヘッド５５が備える全ての吐出ノズル１５からプラテンドラム３０の外周面までの距離が、略均等になる状態で、ヘッド副保持枠５３ｂに保持されている。
【００３６】
ヘッド副保持枠５３ｂは、保持枠離接機構５４ｂを介して、プラテンドラム３０の外周面のＸ軸Ｚ軸平面における半径方向に移動可能に、ヘッドキャリッジ５２に取付けられている。副ヘッドユニット５１ｂは、搬送方向Ｄｓにおいて、主ヘッドユニット５１ａの上流側に配設されている。保持枠離接機構５４ｂによるヘッド副保持枠５３ｂの移動方向は、鉛直方向に対して搬送方向Ｄｓにおける上流側に傾いた方向である。ヘッド副保持枠５３ｂに保持されている吐出ヘッド５５ａ及び吐出ヘッド５５ｂは、保持枠離接機構５４ｂによって、一体に、プラテンドラム３０に対する離接方向に移動させられる。
【００３７】
副ヘッドユニット５１ｃは、ヘッド副保持枠５３ｃと、３個の吐出ヘッド５５と、保持枠離接機構５４ｃと、を備えている。副ヘッドユニット５１ｂが備える吐出ヘッド５５を吐出ヘッド５５ｄ、吐出ヘッド５５ｅ、吐出ヘッド５５ｆ、と表記する。吐出ヘッド５５ｄ、吐出ヘッド５５ｅ、又は吐出ヘッド５５ｆが備える７個の単ヘッド体５７は同一の機能液を吐出する。吐出ヘッド５５ｄは、例えばライトシアンを描画させるための機能液を吐出する。吐出ヘッド５５ｅは、例えばライトマゼンタを描画させるための機能液を吐出する。吐出ヘッド５５ｆは、例えばクリアー（無色透明）を描画させるための機能液を吐出する。
【００３８】
吐出ヘッド５５ｄ、吐出ヘッド５５ｅ、及び吐出ヘッド５５ｆは、吐出ノズル１５をプラテンドラム３０の外周面に臨ませて、副ヘッドユニット５１ｂにおける吐出ヘッド５５ａ及び吐出ヘッド５５ｂと同様に、ヘッド副保持枠５３ｃに保持されている。
【００３９】
ヘッド副保持枠５３ｃは、保持枠離接機構５４ｃを介して、プラテンドラム３０の外周面のＸ軸Ｚ軸平面における半径方向に移動可能に、ヘッドキャリッジ５２に取付けられている。副ヘッドユニット５１ｃは、搬送方向Ｄｓにおいて、主ヘッドユニット５１ａの下流側に配設されている。保持枠離接機構５４ｃによるヘッド副保持枠５３ｃの移動方向は、鉛直方向に対して搬送方向Ｄｓにおける下流側に傾いた方向である。ヘッド副保持枠５３ｃに保持されている吐出ヘッド５５ｄ、吐出ヘッド５５ｅ、及び吐出ヘッド５５ｆは、保持枠離接機構５４ｃによって、一体に、プラテンドラム３０に対する離接方向に移動させられる。
ヘッド副保持枠５３ｂ及びヘッド副保持枠５３ｃの少なくとも一方が、第２ヘドホルダーに相当する。保持枠離接機構５４ｂ及び保持枠離接機構５４ｃの少なくとも一方が、第２ホルダー移動装置に相当する。
【００４０】
ヘッド主保持枠５３ａの搬送方向Ｄｓにおける下流側には、紫外線ランプ６２ａが、プラテンドラム３０の外周に紫外線を照射可能に固定されている。ヘッド副保持枠５３ｂの搬送方向Ｄｓにおける下流側には、紫外線ランプ６２ｂが、プラテンドラム３０の外周に紫外線を照射可能に固定されている。上述したように、描画ユニット５の下流側には、ＵＶランプ６３が設けられている。
主ヘッドユニット５１ａが備える吐出ヘッド５５によって配置された機能液は、紫外線ランプ６２ａによって仮硬化される。副ヘッドユニット５１ｂが備える吐出ヘッド５５によって配置された機能液は、紫外線ランプ６２ｂによって仮硬化される。描画ユニット５備える吐出ヘッド５５によって配置された機能液は、ＵＶランプ６３によって本硬化されて、シートＳ上に機能液で形成された画像が定着される。
ヘッドキャリッジ５２は、図示省略したキャリッジ移動機構によって、プラテンドラム３０に対してＹ軸方向に移動可能に支持されている。
【００４１】
プリンター１は、描画ユニット５が備える吐出ヘッド５５などの保守を実施するための保守装置を備えている。保守装置は、Ｙ軸方向において、プラテンドラム３０と並ぶ位置に配設されている。保守作業を実施する際には、キャリッジ移動機構によって、ヘッドキャリッジ５２をＹ軸方向に移動させて、描画ユニット５を、保守装置に臨む位置に移動する。保持枠離接機構５４ａによって主ヘッドユニット５１ａを、保持枠離接機構５４ｂ、によって副ヘッドユニット５１ｂを、保持枠離接機構５４ｃによって副ヘッドユニット５１ｃを、移動させて、保守装置によって保守作業を実施するために適切な位置に、主ヘッドユニット５１ａ、副ヘッドユニット５１ｂ、及び副ヘッドユニット５１ｃ、を位置させる。当該状態において、保守装置によって、描画ユニット５が備える吐出ヘッド５５などの保守を実施する。
【００４２】
以下、実施形態による効果を記載する。本実施形態によれば、以下の効果が得られる。
（１）描画ユニット５は、主ヘッドユニット５１ａ、副ヘッドユニット５１ｂ、及び副ヘッドユニット５１ｃ、を備えている。主ヘッドユニット５１ａ、副ヘッドユニット５１ｂ、及び副ヘッドユニット５１ｃは、それぞれ複数の吐出ヘッド５５を備えており、保持枠離接機構５４ａ、保持枠離接機構５４ｂ、又は保持枠離接機構５４ｃによって、プラテンドラム３０の外周面に対して離接可能に支持されている。これにより、それぞれの吐出ヘッド５５ごとに保持枠離接機構を設け、個別に離接方向に移動させる構成にくらべて、描画ユニットの構成を簡単にすることができる。
【００４３】
（２）主ヘッドユニット５１ａは、Ｙ吐出ヘッド５５Ｙ、Ｃ吐出ヘッド５５Ｃ、Ｍ吐出ヘッド５５Ｍ、及びＫ吐出ヘッド５５Ｋを備えており、４色を吐出する吐出ヘッド５５が、単一のヘッド主保持枠５３ａに保持されている。４色が単一のヘッド主保持枠５３ａに保持されていることで相互の位置関係を適切に保ち易くすることができる。一般的に、イエロー、マゼンタ、シアン、及びブラックの４色は、基本色であって、これらの色の着弾位置精度は、画像の品質に大きく影響する。４色を吐出する吐出ヘッド５５が、単一のヘッド主保持枠５３ａに保持されていることで、ヘッド位置がずれることに起因して着弾位置のずれが生ずることを抑制して、高精度の画像を描画することができる。
【００４４】
（３）ヘッド主保持枠５３ａは、プラテンドラム３０に対して、鉛直方向（Ｚ軸方向）上方に位置している。ヘッド主保持枠５３ａに保持されているＹ吐出ヘッド５５Ｙ、Ｃ吐出ヘッド５５Ｃ、Ｍ吐出ヘッド５５Ｍ、及びＫ吐出ヘッド５５Ｋから吐出されて飛行する機能液の液滴の飛行経路は、鉛直方向に近くなる。吐出ヘッド５５から吐出されて飛行する機能液の液滴は、重力の影響によって飛行経路が曲げられる可能性がある。すなわち、重力によって着弾位置精度が損なわれる可能性がある。重力による影響は、飛行経路が水平に近いほど大きくなる。Ｙ吐出ヘッド５５Ｙ、Ｃ吐出ヘッド５５Ｃ、Ｍ吐出ヘッド５５Ｍ、及びＫ吐出ヘッド５５Ｋを保持するヘッド主保持枠５３ａを、プラテンドラム３０に対して、鉛直方向上方に位置させることで、これらの吐出ヘッド５５から吐出された液滴の着弾精度に及ぼす重力の影響を抑制することができる。
ヘッド主保持枠５３ａが、第２ヘッドホルダーより多数の吐出ヘッドを保持している第１ヘッドホルダーに相当する。
【００４５】
（４）描画ユニット５は、主ヘッドユニット５１ａ、副ヘッドユニット５１ｂ、及び副ヘッドユニット５１ｃ、を備えている。主ヘッドユニット５１ａ、副ヘッドユニット５１ｂ、及び副ヘッドユニット５１ｃは、それぞれ複数の吐出ヘッド５５を備えており、保持枠離接機構５４ａ、保持枠離接機構５４ｂ、又は保持枠離接機構５４ｃによって、プラテンドラム３０の外周面に対して離接可能に支持されている。これにより、全ての吐出ヘッド５５を単一の保持枠離接機構で離接方向に移動させる構成にくらべて、吐出ヘッド５５の移動方向の自由度を高くすることができる。
【００４６】
以上、添付図面を参照しながら好適な実施形態について説明したが、好適な実施形態は、前記実施形態に限らない。実施形態は、要旨を逸脱しない範囲内において種々変更を加え得ることは勿論であり、以下のように実施することもできる。
【００４７】
（変形例１）前記実施形態においては、吐出ヘッド５５は、７個の単ヘッド体５７を備えていた。しかし、吐出ヘッドが単ヘッド体５７のような吐出ヘッドを７個組み合わせた構成であることは必須ではない。吐出ヘッドを構成する単ヘッド体５７のような吐出ヘッドの数はいくつであってもよい。吐出ヘッドは、１個の単ヘッド体５７のような吐出ヘッドであってもよい。
【００４８】
（変形例２）前記実施形態においては、描画ユニット５は、主ヘッドユニット５１ａ、副ヘッドユニット５１ｂ、及び副ヘッドユニット５１ｃ、を備えており、ヘッド主保持枠５３ａ、ヘッド副保持枠５３ｂ、及びヘッド副保持枠５３ｃを備えていた。しかし、描画装置が備えるヘッドホルダーの数は３個に限らない。描画装置は、第１ヘッドホルダー及び第２ヘッドホルダーをそれぞれ１個以上備えれば、さらに何個の第１ヘッドホルダー又は第２ヘッドホルダーを備える構成であってもよい。
【００４９】
（変形例３）前記実施形態においては、単ヘッド体５７は吐出ノズルのノズル列を１列備えていた。しかし、単ヘッド体５７のような吐出ヘッドが備えるノズル列が１列であることは必須ではない。単ヘッド体５７のような吐出ヘッドが備えるノズル列は何列であってもよい。
【００５０】
（変形例４）前記実施形態においては、吐出ヘッド５５から吐出される機能液は、光硬化性インクであった。しかし、液状体が光硬化性の液状体であることは必須ではない。液状体は、吐出ヘッドを用いて吐出することが可能であれば、どのような液状体であってもよい。
【００５１】
（変形例５）前記実施形態においては、プリンター１は９個の吐出ヘッド５５を備えていたが、描画装置が備える吐出ヘッドはいくつであってもよい。
【００５２】
（変形例６）前記実施形態においては、主ヘッドユニット５１ａのヘッド主保持枠５３ａは、４個の吐出ヘッド５５を保持しており、副ヘッドユニット５１ｂのヘッド副保持枠５３ｂは、２個の吐出ヘッド５５を保持しており、副ヘッドユニット５１ｃのヘッド副保持枠５３ｃは、３個の吐出ヘッド５５を保持していた。しかし、第１ヘッドホルダーが保持する吐出ヘッドは、４個に限らない。第２ヘッドホルダーが保持する吐出ヘッドは、２個や３個に限らない。第１ヘッドホルダーが保持する吐出ヘッドは、複数個であれば何個であってもよい。第２ヘッドホルダーが保持する吐出ヘッドは、何個であってもよい。
【符号の説明】
【００５３】
１…プリンター、２…繰出部、３…画像形成部、４…巻取部、５…描画ユニット、１５…吐出ノズル、３０…プラテンドラム、５１ａ…主ヘッドユニット、５１ｂ…副ヘッドユニット、５１ｃ…副ヘッドユニット、５２…ヘッドキャリッジ、５３ａ…ヘッド主保持枠、５３ｂ…ヘッド副保持枠、５３ｃ…ヘッド副保持枠、５４ａ，５４ｂ，５４ｃ…保持枠離接機構、５５…吐出ヘッド、５５Ｃ…Ｃ吐出ヘッド、５５Ｋ…Ｋ吐出ヘッド、５５Ｍ…Ｍ吐出ヘッド、５５Ｙ…Ｙ吐出ヘッド、５５ａ，５５ｂ，５５ｄ，５５ｅ，５５ｆ…吐出ヘッド、５７…単ヘッド体、６２…ＵＶランプ、６２ａ，６２ｂ…紫外線ランプ、６３…ＵＶランプ。
【図１】
2013223943.tif 000003
【図２】
2013223943.tif 000004
【図３】
2013223943.tif 000005